(57)【要約】      （修正有）【課題】紙幣の出金処理が行われる際に金額が小さい金種の紙幣が足りなくなってしまうことを防止することができるとともに金額が大きい金種に対応する収納繰出部の収納スペースを有効活用することができる紙幣処理機および紙幣処理方法を提供する。【解決手段】紙幣処理機は、搬送部２５から送られた紙幣を収納するとともに収納されている紙幣を搬送部２５に１枚ずつ繰出可能な複数の収納繰出部２７と、各収納繰出部２７と金種とを関連付けた情報を記憶する記憶部４７と、各収納繰出部２７に、記憶部４７に記憶されている情報における当該収納繰出部２７に関連付けられている金種の金額以下の金種の紙幣を送るよう、搬送部２５を制御する制御部１５とを備えている。【選択図】図３
2018077624.tif 000002
【特許請求の範囲】
【請求項１】
紙幣を搬送する搬送部と、
前記搬送部から送られた紙幣を収納するとともに収納されている紙幣を前記搬送部に１枚ずつ繰出可能な複数の収納繰出部と、
各前記収納繰出部と金種とを関連付けた情報を記憶する記憶部と、
各前記収納繰出部に、前記記憶部に記憶されている情報における当該収納繰出部に関連付けられている金種の金額以下の金種の紙幣を送るよう、前記搬送部を制御する制御部と、
を備えた、紙幣処理機。
【請求項２】
前記制御部は、前記搬送部により搬送される紙幣を当該紙幣の金種に関連付けられている前記収納繰出部に送り、紙幣の金種に関連付けている前記収納繰出部に紙幣をこれ以上収納することができない状態である場合には当該紙幣をその金種の金額よりも大きな金額の金種に関連付けられている前記収納繰出部に送るよう前記搬送部を制御する、請求項１記載の紙幣処理機。
【請求項３】
前記搬送部から送られた紙幣を一時的に保留するとともに保留されている紙幣を前記搬送部に１枚ずつ繰出可能な一時保留部を更に備え、
各前記収納繰出部に収納されている紙幣を外部に投出するような出金処理が行われる際に、各前記収納繰出部から繰り出された紙幣のうち出金されるべき金種の紙幣以外の紙幣が前記一時保留部に一時的に保留されるようになっている、請求項１または２記載の紙幣処理機。
【請求項４】
前記出金処理が完了した後に、前記一時保留部に保留されている紙幣が各前記収納繰出部に戻されるようになっている、請求項３記載の紙幣処理機。
【請求項５】
前記搬送部から送られた紙幣を一時的に保留するとともに保留されている紙幣を前記搬送部に１枚ずつ繰出可能な一時保留部と、
各前記収納繰出部から繰り出された後に前記搬送部により搬送された紙幣が収納される回収部と、
を更に備え、
前記回収部に収納された紙幣が当該回収部ごと回収されるようになっており、各前記収納繰出部の管理権限および前記回収部の管理権限は互いに異なるようになっており、
各前記収納繰出部から前記回収部に紙幣を送ることにより当該紙幣の管理権限を変えるような引渡処理が行われる際に、各前記収納繰出部から繰り出された紙幣のうち前記回収部に送られるべき金種の紙幣以外の紙幣が前記一時保留部に一時的に保留されるようになっている、請求項１または２記載の紙幣処理機。
【請求項６】
前記引渡処理が完了した後に、前記一時保留部に保留されている紙幣が各前記収納繰出部に戻されるようになっている、請求項５記載の紙幣処理機。
【請求項７】
前記制御部は、金額の小さい金種の紙幣から先に各前記収納繰出部から繰り出されるよう各前記収納繰出部に収納されている紙幣の収納順序を変更するような整理処理を行うことができるようになっている、請求項１または２記載の紙幣処理機。
【請求項８】
前記記憶部は、各前記収納繰出部に収納されている紙幣の情報も記憶するようになっており、
前記制御部は、前記記憶部に記憶されている、各前記収納繰出部に収納されている紙幣の情報に基づいて、前記整理処理を行う必要があるか否かを判断するようになっている、請求項７記載の紙幣処理機。
【請求項９】
前記制御部によって前記整理処理を行う必要があると判断された場合に、前記整理処理を行う必要がある旨の情報を報知する報知部を更に備えた、請求項８記載の紙幣処理機。
【請求項１０】
前記搬送部から送られた紙幣を一時的に保留するとともに保留されている紙幣を前記搬送部に１枚ずつ繰出可能な一時保留部を更に備え、
前記整理処理が行われる際に、各前記収納繰出部から繰り出された紙幣の少なくとも一部が前記一時保留部に一時的に保留された後に各前記収納繰出部に戻されるようになっている、請求項７乃至９のいずれか一項に記載の紙幣処理機。
【請求項１１】
前記搬送部から送られた紙幣を一時的に保留するとともに保留されている紙幣を前記搬送部に１枚ずつ繰出可能な一時保留部と、
各前記収納繰出部から繰り出された後に前記搬送部により搬送された紙幣が収納される回収部と、
を更に備え、
前記回収部に収納された紙幣が当該回収部ごと回収されるようになっており、各前記収納繰出部の管理権限および前記回収部の管理権限は互いに異なるようになっており、
前記制御部は、各前記収納繰出部から前記回収部に紙幣を送ることにより当該紙幣の管理権限を変えるような引渡処理が行われる際に前記整理処理を行うようになっており、この際に、各前記収納繰出部から繰り出された紙幣のうち前記回収部に送られるべき金種の紙幣以外の紙幣が前記一時保留部に一時的に保留される、請求項７乃至９のいずれか一項に記載の紙幣処理機。
【請求項１２】
前記収納繰出部は、テープにより紙幣をドラムに巻き取ることにより紙幣を収納するとともに前記ドラムに巻き取られた前記テープを当該ドラムから巻き出すことにより紙幣を１枚ずつ繰り出すテープリール式のものである、請求項１乃至１１のいずれか一項に記載の紙幣処理機。
【請求項１３】
前記収納繰出部は、紙幣が積層状態で集積されるとともに集積されている複数の紙幣のうち端に位置する紙幣を１枚ずつ繰り出すスタッカ式のものである、請求項１乃至１１のいずれか一項に記載の紙幣処理機。
【請求項１４】
紙幣を搬送する搬送部、および前記搬送部から送られた紙幣を収納するとともに収納されている紙幣を前記搬送部に１枚ずつ繰出可能な複数の収納繰出部を備えた紙幣処理機による紙幣処理方法であって、
各前記収納繰出部と金種とを関連付けた情報を記憶部に予め記憶させておく工程と、
前記搬送部から各前記収納繰出部に紙幣を送り、この際に、各前記収納繰出部に、前記記憶部に記憶されている情報における当該収納繰出部に関連付けられている金種の金額以下の金種の紙幣を送る工程と、
を備えた、紙幣処理方法。
【請求項１５】
前記搬送部により搬送される紙幣を当該紙幣の金種に関連付けられている前記収納繰出部に送り、紙幣の金種に関連付けている前記収納繰出部に紙幣をこれ以上収納することができない状態である場合には当該紙幣をその金種の金額よりも大きな金額の金種に関連付けられている前記収納繰出部に送る、請求項１４記載の紙幣処理方法。
【発明の詳細な説明】
【技術分野】
【０００１】
本発明は、紙幣の入金処理や出金処理等の様々な処理を行う紙幣処理機およびこのような紙幣処理機による紙幣処理方法に関する。
【背景技術】
【０００２】
スーパーマーケットやコンビニエンスストア等の店舗において売上金等の貨幣の入金処理、釣銭準備金等の貨幣の出金処理、および貨幣の回収業務を行う警送会社等の回収業者へ売上金等の貨幣を引き渡す引渡処理等を行う貨幣処理機が従来から知られている（例えば、特許文献１等参照）。このような貨幣処理機は、警送会社等の回収業者により回収されるべき貨幣が収納される回収部と、筐体の外部から内部に取り込まれた貨幣を一時的に収納するとともに、この収納された貨幣または筐体の外部から内部に取り込まれた貨幣を回収部に送ったり筐体の外部に返却したりするリサイクル処理機構とを備えている。リサイクル処理機構に収納された貨幣（上部の貨幣）と、回収部に収納された貨幣（下部の貨幣）の管理権限は区別されており、前者の管理権限は貨幣処理機に対して入金処理や出金処理を行う店舗側にあり、後者の管理権限は貨幣処理機から紙幣の回収を行う警送会社等の回収業者側にある。よって、貨幣処理機の上部の貨幣に対する入金処理、出金処理、引渡処理等の操作や、上部の貨幣の入出金情報や、収納されている貨幣の金種別枚数データまたは合計金額もしくは金種別金額のデータである在高データへのアクセスは店舗側の権限のある操作者のみが行うことができ、一方、貨幣処理機の下部に位置する回収部からの貨幣の回収は警送会社等の回収業者のみが行うことができるようになっている。
【先行技術文献】
【特許文献】
【０００３】
【特許文献１】特許第５２９６１９１号
【発明の概要】
【発明が解決しようとする課題】
【０００４】
特許文献１に開示されるような従来の貨幣処理機における紙幣処理装置では、複数の紙幣を収納するとともに収納されている紙幣を１枚ずつ繰出可能な複数の収納繰出部がリサイクル処理機構に設けられている。具体的には、各々の収納繰出部には、収納されるべき紙幣の金種が予め割り当てられており、紙幣処理装置の筐体の外部から内部に投入された紙幣は識別部によりその金種等が識別された後に当該紙幣の金種に対応する収納繰出部に収納されるようになっている。また、このような紙幣処理装置のリサイクル処理機構において、各収納繰出部における紙幣の容量は概ね同じ大きさとなっている。
【０００５】
このような紙幣処理装置において釣銭準備金等の紙幣の出金処理を行うにあたり、リサイクル処理機構の各収納繰出部から繰り出された紙幣が筐体の内部から外部に投出されるようになっているが、特定の金種の紙幣が釣銭準備金として他の金種の紙幣よりも多く出金される場合がある。例えば、３つ収納繰出部にそれぞれ千円札、五千円札および一万円札が収納されるようになっているときに、釣銭準備金として千円札が五千円札や一万円札よりも多く出金される場合がある。なお、釣銭準備金等の紙幣の出金処理を行う場合には、概ね金額が小さい金種の紙幣が数多く出金される傾向がある。釣銭準備金として特定の金種の紙幣（例えば、千円札）が数多く出金される場合に備えて、多くの千円札を収納繰出部に収納させておくことが望ましいが、各収納繰出部における紙幣の容量が予め決められているため、釣銭準備金等の紙幣の出金処理が行われる際に千円札が足りなくなってしまうおそれがある。また、この場合には釣銭準備金として五千円札や一万円札をそれほど多く各収納繰出部に収納させる必要がないが、各収納繰出部に収納される五千円札や一万円札の枚数が少ない場合にはこれらの金種に対応する収納繰出部の空きスペースが無駄になってしまうという問題がある。
【０００６】
本発明は、このような点を考慮してなされたものであり、紙幣の出金処理が行われる際に金額が小さい金種の紙幣が足りなくなってしまうことを防止することができるとともに金額が大きい金種に対応する収納繰出部の収納スペースを有効活用することができる紙幣処理機および紙幣処理方法を提供することを目的とする。
【課題を解決するための手段】
【０００７】
本発明の紙幣処理機は、紙幣を搬送する搬送部と、前記搬送部から送られた紙幣を収納するとともに収納されている紙幣を前記搬送部に１枚ずつ繰出可能な複数の収納繰出部と、各前記収納繰出部と金種とを関連付けた情報を記憶する記憶部と、各前記収納繰出部に、前記記憶部に記憶されている情報における当該収納繰出部に関連付けられている金種の金額以下の金種の紙幣を送るよう、前記搬送部を制御する制御部と、
を備えたことを特徴とする。
【０００８】
このような紙幣処理機によれば、各収納繰出部と金種とを関連付けた情報を記憶部に記憶させておき、各収納繰出部に、当該収納繰出部に関連付けられている金種の金額以下の金種の紙幣を送ることができるようにすることによって、金額が小さい金種の紙幣の収納量を増やすことができ、よって紙幣の出金処理が行われる際に当該金種の紙幣が足りなくなってしまうことを防止することができるとともに金額が大きい金種に対応する収納繰出部の収納スペースを有効活用することができる。
【０００９】
本発明の紙幣処理機においては、前記制御部は、前記搬送部により搬送される紙幣を当該紙幣の金種に関連付けられている前記収納繰出部に送り、紙幣の金種に関連付けている前記収納繰出部に紙幣をこれ以上収納することができない状態である場合には当該紙幣をその金種の金額よりも大きな金額の金種に関連付けられている前記収納繰出部に送るよう前記搬送部を制御するようになっていてもよい。
【００１０】
本発明の紙幣処理機は、前記搬送部から送られた紙幣を一時的に保留するとともに保留されている紙幣を前記搬送部に１枚ずつ繰出可能な一時保留部を更に備え、各前記収納繰出部に収納されている紙幣を外部に投出するような出金処理が行われる際に、各前記収納繰出部から繰り出された紙幣のうち出金されるべき金種の紙幣以外の紙幣が前記一時保留部に一時的に保留されるようになっていてもよい。
【００１１】
この場合、前記出金処理が完了した後に、前記一時保留部に保留されている紙幣が各前記収納繰出部に戻されるようになっていてもよい。
【００１２】
本発明の紙幣処理機は、前記搬送部から送られた紙幣を一時的に保留するとともに保留されている紙幣を前記搬送部に１枚ずつ繰出可能な一時保留部と、各前記収納繰出部から繰り出された後に前記搬送部により搬送された紙幣が収納される回収部と、を更に備え、前記回収部に収納された紙幣が当該回収部ごと回収されるようになっており、各前記収納繰出部の管理権限および前記回収部の管理権限は互いに異なるようになっており、各前記収納繰出部から前記回収部に紙幣を送ることにより当該紙幣の管理権限を変えるような引渡処理が行われる際に、各前記収納繰出部から繰り出された紙幣のうち前記回収部に送られるべき金種の紙幣以外の紙幣が前記一時保留部に一時的に保留されるようになっていてもよい。
【００１３】
この場合、前記引渡処理が完了した後に、前記一時保留部に保留されている紙幣が各前記収納繰出部に戻されるようになっていてもよい。
【００１４】
本発明の紙幣処理機においては、前記制御部は、金額の小さい金種の紙幣から先に各前記収納繰出部から繰り出されるよう各前記収納繰出部に収納されている紙幣の収納順序を変更するような整理処理を行うことができるようになっていてもよい。
【００１５】
この場合、本発明の紙幣処理機においては、前記記憶部は、各前記収納繰出部に収納されている紙幣の情報も記憶するようになっており、前記制御部は、前記記憶部に記憶されている、各前記収納繰出部に収納されている紙幣の情報に基づいて、前記整理処理を行う必要があるか否かを判断するようになっていてもよい。
【００１６】
また、本発明の紙幣処理機は、前記制御部によって前記整理処理を行う必要があると判断された場合に、前記整理処理を行う必要がある旨の情報を報知する報知部を更に備えていてもよい。
【００１７】
また、本発明の紙幣処理機は、前記搬送部から送られた紙幣を一時的に保留するとともに保留されている紙幣を前記搬送部に１枚ずつ繰出可能な一時保留部を更に備え、前記整理処理が行われる際に、各前記収納繰出部から繰り出された紙幣の少なくとも一部が前記一時保留部に一時的に保留された後に各前記収納繰出部に戻されるようになっていてもよい。
【００１８】
本発明の紙幣処理機は、前記搬送部から送られた紙幣を一時的に保留するとともに保留されている紙幣を前記搬送部に１枚ずつ繰出可能な一時保留部と、各前記収納繰出部から繰り出された後に前記搬送部により搬送された紙幣が収納される回収部と、を更に備え、前記回収部に収納された紙幣が当該回収部ごと回収されるようになっており、各前記収納繰出部の管理権限および前記回収部の管理権限は互いに異なるようになっており、前記制御部は、各前記収納繰出部から前記回収部に紙幣を送ることにより当該紙幣の管理権限を変えるような引渡処理が行われる際に前記整理処理を行うようになっており、この際に、各前記収納繰出部から繰り出された紙幣のうち前記回収部に送られるべき金種の紙幣以外の紙幣が前記一時保留部に一時的に保留されるようになっていてもよい。
【００１９】
本発明の紙幣処理機においては、前記収納繰出部は、テープにより紙幣をドラムに巻き取ることにより紙幣を収納するとともに前記ドラムに巻き取られた前記テープを当該ドラムから巻き出すことにより紙幣を１枚ずつ繰り出すテープリール式のものであってもよい。
【００２０】
あるいは、前記収納繰出部は、紙幣が積層状態で集積されるとともに集積されている複数の紙幣のうち端に位置する紙幣を１枚ずつ繰り出すスタッカ式のものであってもよい。
【００２１】
本発明の紙幣処理方法は、紙幣を搬送する搬送部、および前記搬送部から送られた紙幣を収納するとともに収納されている紙幣を前記搬送部に１枚ずつ繰出可能な複数の収納繰出部を備えた紙幣処理機による紙幣処理方法であって、各前記収納繰出部と金種とを関連付けた情報を記憶部に予め記憶させておく工程と、前記搬送部から各前記収納繰出部に紙幣を送り、この際に、各前記収納繰出部に、前記記憶部に記憶されている情報における当該収納繰出部に関連付けられている金種の金額以下の金種の紙幣を送る工程と、
を備えたことを特徴とする。
【００２２】
このような紙幣処理方法によれば、各収納繰出部と金種とを関連付けた情報を記憶部に予め記憶させておき、各収納繰出部に、当該収納繰出部に関連付けられている金種の金額以下の金種の紙幣を送ることができるようにすることによって、金額が小さい金種の紙幣の収納量を増やすことができ、よって紙幣の出金処理が行われる際に当該金種の紙幣が足りなくなってしまうことを防止することができるとともに金額が大きい金種に対応する収納繰出部の収納スペースを有効活用することができる。
【００２３】
本発明の紙幣処理方法においては、前記搬送部により搬送される紙幣を当該紙幣の金種に関連付けられている前記収納繰出部に送り、紙幣の金種に関連付けている前記収納繰出部に紙幣をこれ以上収納することができない状態である場合には当該紙幣をその金種の金額よりも大きな金額の金種に関連付けられている前記収納繰出部に送るようになっていてもよい。
【発明の効果】
【００２４】
本発明の紙幣処理機および紙幣処理方法によれば、紙幣の出金処理が行われる際に金額が小さい金種の紙幣が足りなくなってしまうことを防止することができるとともに金額が大きい金種に対応する収納繰出部の収納スペースを有効活用することができる。
【図面の簡単な説明】
【００２５】
【図１】本発明の実施の形態による貨幣処理機の外観を示す斜視図である。
【図２】図１に示す貨幣処理機における紙幣処理装置の内部構成の一例を示す構成図である。
【図３】図１に示す貨幣処理機における制御系の構成を示す機能ブロック図である。
【図４】図２に示す紙幣処理装置の各収納繰出部に関連付けられている設定金種および収納可能な紙幣の金種を示す表である。
【図５】図１に示す貨幣処理機における紙幣処理装置の内部構成の他の例を示す構成図である。
【発明を実施するための形態】
【００２６】
以下、図面を参照して本発明の実施の形態について説明する。図１乃至図５は、本実施の形態による貨幣処理機を示す図である。このうち、図１は、本実施の形態による貨幣処理機の外観を示す斜視図であり、図２は、図１に示す貨幣処理機における紙幣処理装置の内部構成を示す構成図である。また、図３は、図１に示す貨幣処理機における制御系の構成を示す機能ブロック図であり、図４は、図２に示す紙幣処理装置の各収納繰出部に関連付けられている設定金種および収納可能な紙幣の金種を示す表である。また、図５は、図１に示す貨幣処理機における紙幣処理装置の内部構成の他の例を示す構成図である。本実施の形態による貨幣処理機は、例えば店舗等のバックヤード領域に設置されており、店舗等における売上金としての貨幣の入金処理や、釣銭準備金等の貨幣の出金処理、および貨幣の回収業務を行う警送会社等の回収業者へ売上金等の貨幣を引き渡す引渡処理等を行うようになっている。
【００２７】
図１に示すように、本実施の形態による貨幣処理機１０は略直方体形状の筐体１１を備えており、この筐体１１の内部には、貨幣処理機１０を前方から見て上部において左右に並ぶよう配置された紙幣処理装置２０および硬貨処理装置３０が設けられている。ここで、紙幣処理装置２０および硬貨処理装置３０は、それぞれ、紙幣や硬貨の入金処理および出金処理を行うようになっている。また、貨幣処理機１０の筐体１１の内部において、紙幣処理装置２０および硬貨処理装置３０の下方には、硬貨および紙幣の収納を行う貨幣収納部４０が設けられている。ここで、貨幣処理機１０のうち、紙幣処理装置２０および硬貨処理装置３０は店舗側の管理権限下にあり、貨幣収納部４０は警送会社等の回収業者側の管理権限下にある。
【００２８】
紙幣処理装置２０の構成の詳細について図１および図２を用いて説明する。図２は、図１に示す紙幣処理装置２０の内部構成を右側から見たときの図である。なお、図２における筐体１１の左側の側面が紙幣処理装置２０の前面側（すなわち、紙幣処理装置２０を手前側から見たときの正面側）となっており、図２における右方向が筐体１１の奥行き方向となっている。図１および図２に示すように、紙幣処理装置２０は、当該紙幣処理装置２０内への紙幣の取り込みを行う紙幣投入口２１と、紙幣処理装置２０内に取り込まれた紙幣のうち偽札や識別不能な紙幣等のリジェクトを行う紙幣リジェクト口２２と、紙幣処理装置２０内に取り込まれた紙幣のうち貨幣収納部４０に収納されない紙幣を紙幣処理装置２０の外部に返却する紙幣返却口２３とを備えている。また、図２に示すように、紙幣処理装置２０の内部には、紙幣投入口２１に投入された紙幣を紙幣処理装置２０内で搬送する搬送部２５が設けられている。
【００２９】
紙幣投入口２１は、操作者により１または束状態の複数の紙幣が短手方向に一括して投入されるよう構成されている。図１に示すように、この紙幣投入口２１には紙幣ステージ２８が配設されている。紙幣ステージ２８は、待機時には上昇位置にありこの際には操作者は紙幣投入口２１に紙幣を投入することができず、一方、紙幣の入金処理時や補充処理時には下降して操作者が紙幣投入口２１に紙幣を投入することができるように構成されている。また、図２に示すように、紙幣投入口２１は搬送部２５に接続されており、紙幣投入口２１に投入された１または束状態の複数の紙幣は、１枚ずつ搬送部２５に繰り出されて当該搬送部２５で搬送されるようになっている。また、紙幣リジェクト口２２は、図２に示すように搬送部２５に接続されており、紙幣投入口２１により紙幣処理装置２０内に取り込まれた紙幣のうち後述する識別部２６によりリジェクトすべき紙幣であると識別された紙幣や識別部２６で識別することができなかった紙幣が搬送部２５から送られるようになっている。操作者はこの紙幣リジェクト口２２に送られた紙幣を筐体１１の前面側から取り出すことができるようになっている。
【００３０】
図２に示すように、紙幣返却口２３には、搬送部２５に接続された紙幣保留部２９が設けられている。この紙幣保留部２９には、搬送部２５から紙幣が送られるようになっている。また、紙幣返却口２３には開閉可能な扉２４が設けられている。紙幣保留部２９にある紙幣を返却する場合には、扉２４が開いて操作者は紙幣返却口２３から紙幣を取り出すことができるようになっている。扉２４は、紙幣の取り出しが可能な状態になれば、自動的に開くようになっている。なお、後述のように、紙幣保留部２９内に保留された紙幣は、操作者により紙幣返却口２３から取り出される代わりに、貨幣収納部４０内に配置された紙幣回収カセット４１（後述）に送られる場合もある。
【００３１】
搬送部２５は、紙幣処理装置２０の内部で紙幣を１枚ずつ順次搬送する機能を有している。具体的には、搬送部２５において、紙幣は一対のベルト間に挟まれて搬送路に沿って搬送されるようになっている。また、図２に示すように、搬送部２５に設けられた搬送路は様々な箇所で分岐するようになっており、この搬送路が分岐する箇所には分岐部材（図示せず）が設けられている。各分岐部材は例えば分岐爪からなり、これらの分岐部材はそれぞれ後述する制御部１５により制御されるようになっている。また、搬送部２５には、当該搬送部２５で搬送される紙幣の識別を行う識別部２６が介設されている。この識別部２６は、搬送部２５で搬送される紙幣の金種、真偽、正損、表裏、新旧、搬送状態等を識別するようになっている。識別部２６による紙幣の識別結果は後述する制御部１５に送られるようになっている。
【００３２】
紙幣処理装置２０の内部には、複数（例えば３つ）の収納繰出部２７（２７ａ〜２７ｃ）が横方向に並ぶよう設けられている。ここで、本実施の形態では、３つの収納繰出部２７のうち一番左側の収納繰出部２７ａを第１収納繰出部とし、左から２番目の収納繰出部２７ｂを第２収納繰出部とし、左から３番目の収納繰出部２７ｃを第３収納繰出部とする。また、本実施の形態では、各収納繰出部２７（２７ａ〜２７ｃ）は、概ね金種毎に紙幣を収納するようになっている。図２に示すように、各収納繰出部２７は、正逆両方向に回転可能なドラム２７ｐをそれぞれ有しており、各ドラム２７ｐに帯状のテープが巻き取られるようになっている。搬送部２５から各収納繰出部２７に送られた紙幣は、テープに押さえられた状態で１枚ずつ順次ドラム２７ｐにより巻き取られて収納される。また、ドラム２７ｐを逆転させると、巻き取られた紙幣が１枚ずつ搬送部２５に送られる。このように、各収納繰出部２７は、搬送部２５から送られた紙幣を収納するとともに収納されている紙幣を１枚ずつ搬送部２５に繰出可能となっている。
【００３３】
また、紙幣処理装置２０の内部において搬送部２５には一時保留部５０が接続されている。一時保留部５０は、搬送部２５から送られた紙幣を収納するとともに収納されている紙幣を搬送部２５に１枚ずつ繰出可能となっている。具体的には、図２に示すように、一時保留部５０は、正逆両方向に回転可能なドラム５０ｐをそれぞれ有しており、ドラム５０ｐに帯状のテープが巻き取られるようになっている。搬送部２５から一時保留部５０に送られた紙幣は、テープに押さえられた状態で１枚ずつ順次ドラム５０ｐにより巻き取られて収納される。また、ドラム５０ｐを逆転させると、巻き取られた紙幣が１枚ずつ搬送部２５に送られる。このような一時保留部５０は、各収納繰出部２７の右隣に配置されている。
【００３４】
紙幣保留部２９は、前述のように紙幣返却口２３に設けられており、図２に示すように搬送部２５に接続されている。この紙幣保留部２９には、紙幣投入口２１に投入された紙幣や、各収納繰出部２７に収納された紙幣が搬送部２５により送られるようになっており、搬送部２５から送られた紙幣を束状態で複数保留することができるようになっている。図２に示すように、紙幣保留部２９には一時保留板２９ａおよび押さえ部材２９ｂが設けられている。ここで、紙幣保留部２９にある紙幣を返却する場合には、前述のように、筐体１１の前面側における扉２４が開いて操作者は紙幣返却口２３から紙幣を取り出すことができるようになっている。扉２４は、紙幣の取り出しが可能な状態になれば、自動的に開くようになっている。また、紙幣保留部２９に紙幣が保留される際に、紙幣は一時保留板２９ａに載せられるようになっており、紙幣保留部２９にある紙幣を紙幣回収カセット４１に収納させる際には、この紙幣回収カセット４１に設けられたステージ４１ａが紙幣保留部２９の一時保留板２９ａに載せられた紙幣を迎えにいき、一時保留板２９ａが図２の矢印方向に退避することにより紙幣をステージ４１ａ上に載せて紙幣保留部２９から紙幣回収カセット４１へ下降し、そしてステージ４１ａ上の紙幣を上から押さえ部材２９ｂで押さえて紙幣回収カセット４１へ収納するようになっている。
【００３５】
また、本実施の形態の紙幣処理装置２０では、紙幣投入口２１、紙幣リジェクト口２２、紙幣返却口２３、搬送部２５、各収納繰出部２７、一時保留部５０はそれぞれ筐体１１の前面から手前側に引出可能となっている引出ユニット２０ａに設けられている。また、引出ユニット２０ａの側面には、各収納繰出部２７の側面を閉止する扉（図示せず）が設けられており、操作者は引出ユニット２０ａを筐体１１の前面側から手前側に引き出した後、扉を開くことにより各収納繰出部２７にアクセスすることができるようになっている。
【００３６】
次に、硬貨処理装置３０の構成について簡単に説明する。図３に示すように、硬貨処理装置３０は、硬貨の処理を行う硬貨処理部３２を有している。硬貨処理部３２は、内部に投入された硬貨の金種等の識別を行う識別部（図示せず）や、識別部により識別された硬貨を金種毎に収納するとともに収納されている硬貨を繰出可能な複数の収納繰出部（図示せず）等を含むようになっている。硬貨処理装置３０の構成の詳細については説明を省略する。
【００３７】
次に、貨幣収納部４０の構成について図１および図２を用いて説明する。図１に示すように、貨幣収納部４０は、貨幣処理機１０の筐体１１の下部に設けられている。この貨幣収納部４０は、図２に示すように、紙幣を収納する紙幣回収カセット４１および硬貨を収納する硬貨回収カセット（図示せず）を有している。紙幣回収カセット４１には、紙幣処理装置２０の紙幣保留部２９に保留された紙幣が収納されるようになっている（図２参照）。一方、硬貨回収カセットには、硬貨処理装置３０の収納繰出部（図示せず）から送られた硬貨が収納されるようになっている。また、警送会社等の回収業者の収集特定者によって、貨幣収納部４０が筐体１１の前面側へ引き出され、この収集特定者が紙幣回収カセット４１や硬貨回収カセット自体を貨幣収納部４０から回収するようになっている。
【００３８】
紙幣回収カセット４１の上面にはシャッタ（図示せず）が設けられている。紙幣回収カセット４１が貨幣収納部４０に収容された状態でこの貨幣収納部４０が筐体１１内にセットされた後、特定の処理を行うときに、図示しない駆動装置によって駆動されてシャッタは開いた状態となる。具体的には例えば、紙幣の引渡処理が行われるときにはシャッタが開いた状態となっており、紙幣保留部２９から紙幣回収カセット４１に紙幣を送ることができる。引渡処理が終了すると、シャッタは閉じた状態となる。一方、貨幣収納部４０が筐体１１から引き出されるときには、シャッタは必ず閉じた状態となる。また、紙幣回収カセット４１は錠を備えた図示しない扉を有しており、鍵を持つ特定の権限を有する者でないと扉の錠を開くことができないようになっている。また、紙幣回収カセット４１において、紙幣がステージ４１ａ上に積層状態で集積されるようになっている。ここで、ステージ４１ａは図２における上下方向に移動可能となっており、ステージ４１ａ上に紙幣が集積される度に、当該ステージ４１ａの位置が下降するようになっている。
【００３９】
なお、前述のように、紙幣処理装置２０や硬貨処理装置３０は店舗側に管理権限がある。このため、紙幣処理装置２０における収納繰出部２７や、硬貨処理装置３０における収納繰出部（図示せず）にある紙幣や硬貨に対する様々な処理や、この紙幣や硬貨の入出金情報や在高データへのアクセスは店舗側の権限のある操作者のみが行うことができる。一方、貨幣収納部４０は回収業者側に管理権限があるため、貨幣収納部４０にある紙幣や硬貨の回収は回収業者の収集特定者のみが行うことができるようになっている。
【００４０】
次に、貨幣処理機１０に設けられた他の様々な機構について説明する。図１に示すように、貨幣処理機１０の筐体１１の上面には、操作者が貨幣処理機１０の制御部１５（後述）に対して様々な指令を行うための操作部４５、および貨幣処理機１０における貨幣の処理内容等を表示する表示部４４が設けられている。ここで、操作部４５は、例えばテンキーや確定キー、スタートキー、取消キーならびにリセットキーを有しており、操作者が各キーを押すことにより貨幣処理機１０の制御部１５に対して様々な指令を行うことができるようになっている。表示部４４は、例えば液晶ディスプレイ（ＬＣＤ）から構成されている。
【００４１】
また、筐体１１の前面には、貨幣処理機１０における貨幣の処理内容等を印字するプリンタ４３、および操作者の操作権限の確認を行うためのカードリーダ４６がそれぞれ設けられている。カードリーダ４６は、操作者が携帯するＩＤカードのＩＤ情報の読み取りを行うようになっている。
【００４２】
次に、貨幣処理機１０における各構成部材の制御を行う制御部１５について図３を用いて説明する。制御部１５は貨幣処理機１０の筐体１１内に設置されている。
【００４３】
図３に示すように、制御部１５には、紙幣処理装置２０の各構成部材（例えば、搬送部２５、識別部２６、各収納繰出部２７、紙幣ステージ２８、紙幣保留部２９、一時保留部５０等）、硬貨処理装置３０の各構成部材（例えば、硬貨処理部３２等）、貨幣収納部４０、プリンタ４３、表示部４４、操作部４５、カードリーダ４６、記憶部４７、通信インターフェース部４８等が接続されている。ここで、本実施の形態では、記憶部４７には、紙幣処理装置２０の各収納繰出部２７に収納されている紙幣の情報（具体的には、各収納繰出部２７に収納されている全ての紙幣の金種や収納順序等の情報）が記憶されるようになっている。
【００４４】
制御部１５には、紙幣処理装置２０の識別部２６による紙幣の識別結果や、硬貨処理装置３０の識別部（図示せず）による硬貨の識別結果が送られるようになっている。また、制御部１５には、操作部４５からの入力やカードリーダ４６によりカードから読み取られた操作者のＩＤ情報等の情報が送られるようになっている。
【００４５】
また、制御部１５は、貨幣処理機１０の操作が行われる際は操作部４５やカードリーダ４６から入力された操作者のＩＤ情報等をもとに操作者の権限の確認を行う。また、制御部１５は、紙幣処理装置２０や硬貨処理装置３０の各構成部材を制御したり、表示部４４、プリンタ４３等を制御したりするようになっている。
【００４６】
また、制御部１５は、通信インターフェース部４８を介して上位端末等の外部装置に対して信号の送受信を行うようになっている。
【００４７】
また、本実施の形態では、図３に示すように、制御部１５に金種設定部４２が接続されている。金種設定部４２は、各収納繰出部２７ａ〜２７ｃにそれぞれ金種を関連付けるようになっている。具体的には、図４に示すように、金種設定部４２により、第１収納繰出部２７ａに千円、第２収納繰出部２７ｂに五千円、第３収納繰出部２７ｃに一万円がそれぞれ設定金種として関連付けられるようになっている。このような金種設定部４２による各収納繰出部２７ａ〜２７ｃへの金種の設定は、例えば店舗への貨幣処理機１０の設置時に行われるようになっている。また、操作者は操作部４５によって各収納繰出部２７ａ〜２７ｃに対応する設定金種を変更することができるようになっている。また、金種設定部４２による各収納繰出部２７ａ〜２７ｃへの金種の設定に係る情報は記憶部４７に記憶されるようになっている。すなわち、記憶部４７は、各収納繰出部２７ａ〜２７ｃと金種とを１対１で関連付けた情報を記憶するようになっている。なお、本実施の形態では、後述する紙幣の入金処理や補充処理が行われる際に、識別部２６により金種等が識別された紙幣は概ね当該紙幣の金種と同じ設定金種の収納繰出部２７に収納されるようになっている。具体的には、識別部２６により金種等が識別された紙幣の金種が例えば千円であった場合には当該紙幣は第１収納繰出部２７ａに収納されるようになっている。また、本実施の形態では、各収納繰出部２７は、金種設定部４２により収納繰出部２７に関連付けられている金種の金額以下の金種の紙幣を収納することができるようになっている。すなわち、第２収納繰出部２７ｂには設定金種である五千円の紙幣以外にも設定金種の金額よりも小さい千円の紙幣を収納することができるようになっている。また、第３収納繰出部２７ｃには設定金種である一万円の紙幣以外にも設定金種の金額よりも小さい千円や五千円の紙幣を収納することができるようになっている。このような、各収納繰出部２７に収納される紙幣の金種の詳細については後述する。
【００４８】
次に、このような構成からなる貨幣処理機１０の紙幣処理装置２０の動作について説明する。本実施の形態では、紙幣処理装置２０において、紙幣の入金処理、出金処理、補充処理、回収処理、引渡処理等を行うことができるようになっている。なお、以下に示すような紙幣処理装置２０の動作は、制御部１５が紙幣処理装置２０の各構成部材を制御することによって行われるようになっている。
【００４９】
まず、紙幣の入金処理について説明する。紙幣処理装置２０において紙幣や硬貨の入金処理を行うにあたり、操作者が紙幣投入口２１に紙幣を投入すると、紙幣投入口２１から筐体１１の内部に繰り出された紙幣は識別部２６によりその金種等が識別された後に各収納繰出部２７に収納される。なお、紙幣の入金処理が行われる際に、紙幣投入口２１から筐体１１の内部に繰り出された紙幣が識別部２６によりその金種等が識別された後に一時保留部５０に一時的に保留されるようになっていてもよい。この場合には、紙幣投入口２１に投入された紙幣が全て一時保留部５０等に送られた後、表示部４４には一時保留部５０に保留されている紙幣の金種毎の枚数や合計金額等の情報が入金紙幣の情報として表示される。その後、操作者によって操作部４５により入金確定の指令が制御部１５に与えられると、一時保留部５０に一時的に保留されている紙幣が当該一時保留部５０から搬送部２５に１枚ずつ繰り出され、この繰り出された紙幣は各収納繰出部２７に収納される。
【００５０】
また、本実施の形態では、上述したように、金種設定部４２により、第１収納繰出部２７ａに千円、第２収納繰出部２７ｂに五千円、第３収納繰出部２７ｃに一万円がそれぞれ設定金種として関連付けられている。そして、金種設定部４２による各収納繰出部２７ａ〜２７ｃへの金種の設定に係る情報は記憶部４７に予め記憶されている。このため、上述した紙幣の入金処理が行われる際に、識別部２６により金種等が識別された紙幣は概ね当該紙幣の金種と同じ設定金種の収納繰出部２７に収納されるようになる。具体的には、識別部２６により金種等が識別された紙幣の金種が例えば千円であった場合には当該紙幣は第１収納繰出部２７ａに収納されるようになる。また、本実施の形態では、各収納繰出部２７は、記憶部４７に記憶されている情報における当該収納繰出部２７に関連付けられている金種の金額以下の金種の紙幣を収納することができるようになっている。このため、上述した紙幣の入金処理が行われる際に、第１収納繰出部２７ａに千円札がフル状態またはニアフル状態で収納されており、当該第１収納繰出部２７ａに紙幣をこれ以上収納することができなくなっている状態において、紙幣投入口２１から筐体１１の内部に繰り出されて識別部２６により識別された紙幣の金種が千円であった場合には、当該紙幣は第２収納繰出部２７ｂまたは第３収納繰出部２７ｃに収納されるようになる。また、上述した紙幣の入金処理が行われる際に、第２収納繰出部２７ｂに千円札や五千円札がフル状態またはニアフル状態で収納されており、当該第２収納繰出部２７ｂに紙幣をこれ以上収納することができなくなっている状態において、紙幣投入口２１から筐体１１の内部に繰り出されて識別部２６により識別された紙幣の金種が五千円であった場合には、当該紙幣は第３収納繰出部２７ｃに収納されるようになる。このようにして、本実施の形態では、千円札や五千円札を、これらの千円札や五千円札に対応する第１収納繰出部２７ａや第２収納繰出部２７ｂの最大収納量よりも多くの枚数だけ筐体１１の内部に収納することができるようになる。
【００５１】
次に、紙幣の出金処理について説明する。紙幣処理装置２０において紙幣の出金処理を行うにあたり、操作者が出金されるべき紙幣の金種毎の枚数や合計金額等を操作部４５により入力すると、各収納繰出部２７に収納されている紙幣が当該収納繰出部２７から繰り出されて紙幣返却口２３に送られる。このことにより、操作者は出金されるべき紙幣や硬貨を紙幣返却口２３から筐体１１の外部に取り出すことができるようになる。
【００５２】
本実施の形態では、上述したように、金種設定部４２により、第１収納繰出部２７ａに千円、第２収納繰出部２７ｂに五千円、第３収納繰出部２７ｃに一万円がそれぞれ設定金種として関連付けられており、記憶部４７は、各収納繰出部２７ａ〜２７ｃと金種とを１対１で関連付けた情報を記憶するようになっている。このため、上述した紙幣の出金処理が行われる際に、操作部４５により入力された出金されるべき紙幣の金種に関連付けられている各収納繰出部２７から紙幣が繰り出されて紙幣返却口２３に送られるようになる。具体的には、操作部４５により入力された出金されるべき紙幣の金種が例えば千円であった場合には当該紙幣は第１収納繰出部２７ａから繰り出されて紙幣返却口２３に送られるようになる。また、操作部４５により入力された出金されるべき金種の紙幣が、当該金種に関連付けられている収納繰出部２７以外の収納繰出部２７に収納されている場合に、この収納繰出部２７から紙幣が繰り出されて紙幣返却口２３に送られるようになっていてもよい。より詳細には、操作部４５により入力された出金されるべき紙幣の金種が例えば千円であった場合に、第２収納繰出部２７ｂや第３収納繰出部２７ｃに千円札が収納されている場合には、第２収納繰出部２７ｂや第３収納繰出部２７ｃから千円札が繰り出されて紙幣返却口２３に送られるようになっていてもよい。また、本実施の形態では、第２収納繰出部２７ｂや第３収納繰出部２７ｃに複数の金種の紙幣が混合状態で収納されている場合には、第２収納繰出部２７ｂや第３収納繰出部２７ｃから繰り出された紙幣のうち出金されるべき金種の紙幣以外の紙幣は一時保留部５０に送られるようになる。例えば、第２収納繰出部２７ｂに千円札および五千円札が混合状態で収納されている場合において、操作部４５により入力された出金されるべき紙幣の金種が千円であるときには、第２収納繰出部２７ｂから繰り出された紙幣のうち出金されるべき金種の紙幣（すなわち、千円札）以外の紙幣（すなわち、五千円札）は一時保留部５０に送られるようになる。そして、出金処理が完了した後に、一時保留部５０に保留されている紙幣（すなわち、五千円札）が元の第２収納繰出部２７ｂに戻されるようになる。また、第２収納繰出部２７ｂに千円札および五千円札が混合状態で収納されている場合において、操作部４５により入力された出金されるべき紙幣の金種が五千円であるときには、第２収納繰出部２７ｂから繰り出された紙幣のうち出金されるべき金種の紙幣（すなわち、五千円札）以外の紙幣（すなわち、千円札）は一時保留部５０に送られるようになる。そして、出金処理が完了した後に、一時保留部５０に保留されている紙幣（すなわち、千円札）が第１収納繰出部２７ａまたは第２収納繰出部２７ｂに戻されるようになる。すなわち、第１収納繰出部２７ａに紙幣の収納スペースがある場合には一時保留部５０に保留されている紙幣は第１収納繰出部２７ａに戻される。一方、第１収納繰出部２７ａがフル状態またはニアフル状態であり当該第１収納繰出部２７ａに紙幣を収納することができない状態である場合には一時保留部５０に保留されている紙幣は第２収納繰出部２７ｂに戻される。なお、第２収納繰出部２７ｂに千円札および五千円札が混合状態で収納されている場合において、操作部４５により入力された出金されるべき紙幣の金種が五千円であり、かつ第１収納繰出部２７ａに紙幣の収納スペースがあるときには、第２収納繰出部２７ｂから繰り出された紙幣のうち出金されるべき金種の紙幣（すなわち、五千円札）以外の紙幣（すなわち、千円札）が第１収納繰出部２７ａに直接送られて当該第１収納繰出部２７ａに収納されるようになっていてもよい。
【００５３】
次に、紙幣の補充処理について説明する。紙幣の補充処理とは、紙幣を金種毎に紙幣処理装置２０の各収納繰出部２７に補充する処理のことをいう。紙幣処理装置２０において紙幣の補充処理を行うにあたり、操作者が紙幣投入口２１に紙幣を投入すると、紙幣投入口２１から筐体１１の内部に繰り出された紙幣は識別部２６によりその金種等が識別された後に各収納繰出部２７に収納される。
【００５４】
また、本実施の形態では、上述したように、金種設定部４２により、第１収納繰出部２７ａに千円、第２収納繰出部２７ｂに五千円、第３収納繰出部２７ｃに一万円がそれぞれ設定金種として関連付けられている。このため、上述した紙幣の補充処理が行われる際に、識別部２６により金種等が識別された紙幣は概ね当該紙幣の金種と同じ設定金種の収納繰出部２７に収納されるようになる。具体的には、識別部２６により金種等が識別された紙幣の金種が例えば千円であった場合には当該紙幣は第１収納繰出部２７ａに収納されるようになる。また、本実施の形態では、各収納繰出部２７は、記憶部４７に記憶されている情報における当該収納繰出部２７に関連付けられている金種の金額以下の金種の紙幣を収納することができるようになっている。このため、上述した紙幣の補充処理が行われる際に、第１収納繰出部２７ａに千円札がフル状態またはニアフル状態で収納されており、当該第１収納繰出部２７ａに紙幣をこれ以上収納することができなくなっている状態において、紙幣投入口２１から筐体１１の内部に繰り出されて識別部２６により識別された紙幣の金種が千円であった場合には、当該紙幣は第２収納繰出部２７ｂまたは第３収納繰出部２７ｃに収納されるようになる。また、上述した紙幣の補充処理が行われる際に、第２収納繰出部２７ｂに千円札や五千円札がフル状態またはニアフル状態で収納されており、当該第２収納繰出部２７ｂに紙幣をこれ以上収納することができなくなっている状態において、紙幣投入口２１から筐体１１の内部に繰り出されて識別部２６により識別された紙幣の金種が五千円であった場合には、当該紙幣は第３収納繰出部２７ｃに収納されるようになる。このようにして、本実施の形態では、千円札や五千円札を、これらの千円札や五千円札に対応する第１収納繰出部２７ａや第２収納繰出部２７ｂの最大収納量よりも多くの枚数だけ筐体１１の内部に補充することができるようになる。
【００５５】
次に、紙幣の回収処理について説明する。警送会社等の回収業者の収集特定者により操作部４５を介して回収処理の指令が制御部１５に送られたときに、制御部１５は貨幣収納部４０の扉のロックを解除し、紙幣回収カセット４１を取り出し可能とする。回収業者の収集特定者が、売上金としての紙幣が収納されている紙幣回収カセット４１を取り出して代わりの空の紙幣回収カセット４１と交換して扉を閉じると、回収された紙幣の金種毎の枚数または合計金額もしくは金種毎の金額のデータである回収データが通信インターフェース部４８により外部装置（具体的には、回収業者の管理センターに設置されているコンピュータ等）に送信される。
【００５６】
次に、紙幣の引渡処理について説明する。ここで、紙幣の引渡処理とは、紙幣処理装置２０の各収納繰出部２７に収納されている紙幣を貨幣収納部４０の紙幣回収カセット４１に送る処理のことをいう。上述したように、貨幣収納部４０の管理権限が回収業者側に設定されているため、各収納繰出部２７から貨幣収納部４０に送られた紙幣の管理権限は店舗側の管理権限下から回収業者側の管理権限下に変更される。そして、収納繰出部２７の在高は、引渡処理が行われた紙幣の金額や金種毎の枚数である貨幣引渡量分だけ減少し、一方、貨幣収納部４０の在高は、引渡処理が行われた紙幣の金額や金種毎の枚数である貨幣引渡量分だけ増加する。貨幣引渡量は、日時や操作者ＩＤ等とともに引渡データとして記憶部４７に記憶される。本実施の形態の紙幣処理装置２０では、操作者によって操作部４５により紙幣の引渡処理の指令が制御部１５に入力されると、釣銭準備金として各収納繰出部２７に残すべき紙幣以外の全ての紙幣が各収納繰出部２７から繰り出されて貨幣収納部４０（具体的には、紙幣回収カセット４１）に送られるようになる。なお、概して、紙幣処理装置２０において釣銭準備金として千円札が出金されるようになっており、各収納繰出部２７に残すべき釣銭準備金としての紙幣の金種は概ね千円であるため、上述した紙幣の引渡処理が行われる際に各収納繰出部２７から例えば全ての五千円札、全ての一万円札および一部の千円札が繰り出されて貨幣収納部４０に送られるようになる。
【００５７】
より詳細には、上述したように、金種設定部４２により、第１収納繰出部２７ａに千円、第２収納繰出部２７ｂに五千円、第３収納繰出部２７ｃに一万円がそれぞれ設定金種として関連付けられている。このため、上述した紙幣の引渡処理が行われる際に、引渡処理が行われるべき紙幣の金種に関連付けられている各収納繰出部２７から紙幣が繰り出されて貨幣収納部４０に送られるようになる。具体的には、引渡処理が行われるべき紙幣の金種が例えば一万円であった場合には当該紙幣は第３収納繰出部２７ｃから繰り出されて貨幣収納部４０に送られるようになる。また、引渡処理が行われるべき金種の紙幣が、当該金種に関連付けられている収納繰出部２７以外の収納繰出部２７に収納されている場合に、この収納繰出部２７から紙幣が繰り出されて貨幣収納部４０に送られるようになっていてもよい。より詳細には、引渡処理が行われるべき紙幣の金種が例えば五千円であった場合に、第３収納繰出部２７ｃに五千円札が収納されている場合には、第３収納繰出部２７ｃから五千円札が繰り出されて貨幣収納部４０に送られるようになっていてもよい。また、本実施の形態では、第２収納繰出部２７ｂや第３収納繰出部２７ｃに複数の金種の紙幣が混合状態で収納されている場合には、第２収納繰出部２７ｂや第３収納繰出部２７ｃから繰り出された紙幣のうち引渡処理が行われるべき金種の紙幣以外の紙幣は一時保留部５０に送られるようになる。例えば、第３収納繰出部２７ｃに千円札、五千円札および一万円札が混合状態で収納されている場合において、引渡処理が行われるべき紙幣の金種が五千円および一万円であるときには、第３収納繰出部２７ｃから繰り出された紙幣のうち引渡処理が行われるべき金種の紙幣（すなわち、五千円札および一万円札）以外の紙幣（すなわち、千円札）は一時保留部５０に送られるようになる。そして、引渡処理が完了した後に、一時保留部５０に保留されている紙幣（すなわち、千円札）が各収納繰出部２７に戻されるようになる。すなわち、例えば第１収納繰出部２７ａに紙幣の収納スペースがある場合には一時保留部５０に保留されている千円札は第１収納繰出部２７ａに戻される。一方、第１収納繰出部２７ａがフル状態またはニアフル状態であり当該第１収納繰出部２７ａに紙幣を収納することができない状態である場合には一時保留部５０に保留されている千円札は第２収納繰出部２７ｂまたは第３収納繰出部２７ｃに戻される。なお、第３収納繰出部２７ｃに千円札、五千円札および一万円札が混合状態で収納されている場合において、引渡処理が行われるべき紙幣の金種が五千円札および一万円であり、かつ第１収納繰出部２７ａに紙幣の収納スペースがあるときには、第３収納繰出部２７ｃから繰り出された紙幣のうち引渡処理が行われるべき金種の紙幣（すなわち、五千円札および一万円札）以外の紙幣（すなわち、千円札）が第１収納繰出部２７ａに直接送られてこの第１収納繰出部２７ａに収納されるようになっていてもよい。
【００５８】
また、本実施の形態の紙幣処理装置２０では、各収納繰出部２７（具体的には第２収納繰出部２７ｂおよび第３収納繰出部２７ｃ）に収納されている紙幣の収納順序を変更するような整理処理を行うことができるようになっている。このような整理処理が行われると、第２収納繰出部２７ｂおよび第３収納繰出部２７ｃにおいて複数の金種の紙幣が混合状態で収納されている場合において金額の小さい金種の紙幣から先に繰り出されるよう第２収納繰出部２７ｂや第３収納繰出部２７ｃに収納されている紙幣の収納順序が変更されるようになる。また、本実施の形態では、上述したように、各収納繰出部２７に収納されている紙幣の情報（具体的には、各収納繰出部２７に収納されている全ての紙幣の金種や収納順序等の情報）が記憶部４７に記憶されるようになっており、制御部１５は、記憶部４７に記憶されている、各収納繰出部２７に収納されている紙幣の情報に基づいて、整理処理を行う必要があるか否かを判断するようになっている。具体的には、第２収納繰出部２７ｂおよび第３収納繰出部２７ｃにおいて複数の金種の紙幣が混合状態で収納されている場合に、これらの第２収納繰出部２７ｂや第３収納繰出部２７ｃにおける紙幣の収納順序が、金額の小さい金種の紙幣から先に繰り出されるような収納順序となっているときには、整理処理を行う必要がないと制御部１５により判断される。一方、これらの第２収納繰出部２７ｂや第３収納繰出部２７ｃにおける紙幣の収納順序が、金額の小さい金種の紙幣から先に繰り出されるような収納順序ではないときには、整理処理を行う必要があると制御部１５により判断される。そして、制御部１５により整理処理を行う必要があると判断された場合には、整理処理を行う必要がある旨の情報が操作者に報知される。具体的には、整理処理を行う必要がある旨のメッセージが表示部４４に表示される。そして、操作者が操作部４５により整理処理を行う旨の指令を制御部１５に与えると、紙幣処理装置２０において紙幣の整理処理が行われる。より詳細には、第２収納繰出部２７ｂや第３収納繰出部２７ｃから紙幣が繰り出され、この繰り出された紙幣の少なくとも一部（具体的には、例えば設定金種よりも金額の小さい金種の紙幣）が一時保留部５０に保留される。その後、一時保留部５０に保留されている紙幣が元の第２収納繰出部２７ｂや第３収納繰出部２７ｃに戻されることにより、金額の小さい金種の紙幣から先に繰り出されるよう第２収納繰出部２７ｂや第３収納繰出部２７ｃに収納されている紙幣の収納順序が変更される。このようにして紙幣の整理処理が行われると、紙幣処理装置２０において釣銭準備金としての紙幣の出金処理が行われる際に、第２収納繰出部２７ｂや第３収納繰出部２７ｃから優先的に金額の小さい金種の紙幣（具体的には、例えば千円札）を繰り出して紙幣返却口２３に送ることができるようになる。
【００５９】
また、上記の説明では、紙幣処理装置２０において紙幣の出金処理が行われる際に釣銭準備金として千円札を出金し、また、紙幣の引渡処理が行われる際に釣銭準備金として各収納繰出部２７に千円札を残すような態様について述べたが、本実施の形態による紙幣処理装置２０ではこのような態様に限定されることはない。例えば、紙幣処理装置２０において釣銭準備金として出金されるべき紙幣の金種毎の枚数を操作者が操作部４５によって指定するようになっていてもよい。あるいは、操作者によって操作部４５により釣銭準備金としての紙幣の出金金額を入力すると最少構成枚数の紙幣が出金されるようになっていてもよい。これらの場合には、紙幣の引渡処理が行われる際に釣銭準備金として千円札以外にも五千円札や一万円札が各収納繰出部２７に残されるようになる。具体的には、各収納繰出部２７のうち金種設定部４２により関連付けられている金種の金額の小さい収納繰出部２７（すなわち、第１収納繰出部２７ａ）から順に紙幣が繰り出されて貨幣収納部４０に送られるようになる。また、この際に、第１収納繰出部２７ａから繰り出されて貨幣収納部４０に送られるべき金種の紙幣（すなわち、千円札）が他の収納繰出部２７（すなわち、第２収納繰出部２７ｂや第３収納繰出部２７ｃ）に収納されている場合には、これらの第２収納繰出部２７ｂや第３収納繰出部２７ｃに収納されている当該金種の紙幣の枚数を差し引いた分の紙幣が第１収納繰出部２７ａから繰り出されて貨幣収納部４０に送られるようになる。その後、他の収納繰出部２７（すなわち、第２収納繰出部２７ｂや第３収納繰出部２７ｃ）から当該金種の紙幣（すなわち、千円札）が繰り出されると、この繰り出された紙幣は貨幣収納部４０に送られるようになる。また、各収納繰出部２７から繰り出された紙幣が、貨幣収納部４０に送られるべきではない紙幣（すなわち、各収納繰出部２７に釣銭準備金として残すべき紙幣）である場合には、この紙幣は一時保留部５０に送られて当該一時保留部５０に保留される。そして、紙幣の引渡処理が完了すると、一時保留部５０に保留されている紙幣が各収納繰出部２７に戻されるようになる。この際に、例えば第１収納繰出部２７ａに紙幣の収納スペースがある場合には一時保留部５０に保留されている千円札は第１収納繰出部２７ａに戻される。一方、第１収納繰出部２７ａがフル状態またはニアフル状態であり当該第１収納繰出部２７ａに紙幣を収納することができない状態である場合には一時保留部５０に保留されている千円札は第２収納繰出部２７ｂまたは第３収納繰出部２７ｃに戻される。このようにして紙幣の引渡処理が行われると、金額の小さい金種の紙幣から先に繰り出されるよう第２収納繰出部２７ｂや第３収納繰出部２７ｃに収納されている紙幣の収納順序が変更されるようになる。すなわち、紙幣の引渡処理が行われる際に整理処理も行われるようになる。
【００６０】
以上のような構成からなる本実施の形態の貨幣処理機１０（紙幣処理機）によれば、各収納繰出部２７と金種とを関連付けた情報が記憶部４７に記憶されるとともに、各収納繰出部２７に、記憶部４７に記憶されている情報における当該収納繰出部２７に関連付けられている金種の金額以下の金種の紙幣を送るよう、制御部１５によって搬送部２５が制御されるようになっている。このように、各収納繰出部２７に、当該収納繰出部２７に関連付けられている金種の金額以下の金種の紙幣を送ることができるようにすることによって、金額が小さい金種の紙幣（具体的には、千円札や五千円札）の収納量を増やすことができ、よって紙幣の出金処理が行われる際に当該金種の紙幣が足りなくなってしまうことを防止することができるとともに金額が大きい金種に対応する収納繰出部２７の収納スペースを有効活用することができる。
【００６１】
より詳細に説明すると、従来の紙幣処理機では、各々の収納繰出部には、収納されるべき紙幣の金種が予め割り当てられており、紙幣処理機の筐体の外部から内部に投入された紙幣は識別部によりその金種等が識別された後に当該紙幣の金種に対応する収納繰出部のみに収納されるようになっていた。また、このような従来の紙幣処理機において釣銭準備金等の紙幣の出金処理を行うにあたり、各収納繰出部から繰り出された紙幣が筐体の内部から外部に投出されるようになるが、特定の金種の紙幣が釣銭準備金として他の金種の紙幣よりも多く出金される場合があった。なお、釣銭準備金等の紙幣の出金処理を行う場合には、概ね金額が小さい金種の紙幣が数多く出金される傾向がある。このため、釣銭準備金として特定の金種の紙幣（例えば、千円札）が数多く出金される場合に備えて、多くの千円札を収納繰出部に収納させておくことが望ましいが、各収納繰出部における紙幣の容量が予め決められているため、釣銭準備金等の紙幣の出金処理が行われる際に千円札が足りなくなってしまうおそれがあった。また、この場合には釣銭準備金として五千円札や一万円札をそれほど多く各収納繰出部に収納させる必要がないが、各収納繰出部に収納される五千円札や一万円札の枚数が少ない場合にはこれらの金種に対応する収納繰出部の空きスペースが無駄になってしまうという問題があった。これに対し、本実施の形態の貨幣処理機１０では、各収納繰出部２７に、当該収納繰出部２７に関連付けられている金種の金額以下の金種の紙幣を送ることができるようにすることによって、上述した従来の紙幣処理機の問題を解消することができるようになる。
【００６２】
また、本実施の形態の貨幣処理機１０においては、上述したように、制御部１５は、搬送部２５により搬送される紙幣を当該紙幣の金種に関連付けられている収納繰出部２７に送り、紙幣の金種に関連付けている収納繰出部２７に紙幣をこれ以上収納することができない状態である場合には当該紙幣をその金種の金額よりも大きな金額の金種に関連付けられている収納繰出部２７に送るよう搬送部２５を制御するようになっている。このことにより、各収納繰出部２７に、当該収納繰出部２７に関連付けられている金種の金額以下の金種の紙幣を送ることができるようになる。
【００６３】
また、本実施の形態の貨幣処理機１０においては、上述したように、搬送部２５から送られた紙幣を一時的に保留するとともに保留されている紙幣を搬送部２５に１枚ずつ繰出可能な一時保留部５０が設けられており、各収納繰出部２７に収納されている紙幣を外部に投出するような出金処理が行われる際に、各収納繰出部２７から繰り出された紙幣のうち出金されるべき金種の紙幣以外の紙幣が一時保留部５０に一時的に保留されるようになっている。このことにより、ある収納繰出部２７に複数の金種の紙幣が混合状態で収納されている場合でも、当該収納繰出部２７から繰り出された紙幣のうち出金されるべき金種の紙幣以外の紙幣を一時保留部５０に一時的に保留させることによって、紙幣の出金処理をスムーズに行うことができるようになる。また、この場合には、出金処理が完了した後に、一時保留部５０に保留されている紙幣が各収納繰出部２７に戻されるようになっている。
【００６４】
また、本実施の形態の貨幣処理機１０においては、上述したように、搬送部２５から送られた紙幣を一時的に保留するとともに保留されている紙幣を搬送部２５に１枚ずつ繰出可能な一時保留部５０と、各収納繰出部２７から繰り出された後に搬送部２５により搬送された紙幣が収納される回収部（具体的には、貨幣収納部４０の紙幣回収カセット４１）とがそれぞれ設けられており、回収部としての紙幣回収カセット４１に収納された紙幣が当該紙幣回収カセット４１ごと回収されるようになっており、各収納繰出部２７の管理権限および貨幣収納部４０の紙幣回収カセット４１の管理権限は互いに異なるようになっている、そして、各収納繰出部２７から紙幣回収カセット４１に紙幣を送ることにより当該紙幣の管理権限を変えるような引渡処理が行われる際に、各収納繰出部２７から繰り出された紙幣のうち紙幣回収カセット４１に送られるべき金種の紙幣以外の紙幣が一時保留部５０に一時的に保留されるようになっている。このことにより、ある収納繰出部２７に複数の金種の紙幣が混合状態で収納されている場合でも、当該収納繰出部２７から繰り出された紙幣のうち回収されるべき金種の紙幣以外の紙幣を一時保留部５０に一時的に保留させることによって、紙幣の引渡処理をスムーズに行うことができるようになる。また、この場合には、引渡処理が完了した後に、一時保留部５０に保留されている紙幣が各収納繰出部２７に戻されるようになっている。
【００６５】
また、本実施の形態の貨幣処理機１０においては、上述したように、制御部１５は、金額の小さい金種の紙幣から先に各収納繰出部２７から繰り出されるよう各収納繰出部２７に収納されている紙幣の収納順序を変更するような整理処理を行うことができるようになっている。このことにより、ある収納繰出部２７に複数の金種の紙幣が混合状態で収納されている場合でも、この収納繰出部２７に収納されている紙幣の収納順序を、金額の小さい金種の紙幣から先に当該収納繰出部２７から繰り出されるような収納順序に変更することによって、紙幣の出金処理が行われる際に金額の小さい金種の紙幣をスムーズに当該収納繰出部２７から繰り出すことができるようになる。また、記憶部４７は、各収納繰出部２７に収納されている紙幣の情報も記憶するようになっており、制御部１５は、記憶部４７に記憶されている、各収納繰出部２７に収納されている紙幣の情報に基づいて、整理処理を行う必要があるか否かを判断するようになっている。また、制御部１５によって整理処理を行う必要があると判断された場合に、整理処理を行う必要がある旨の情報を報知する報知部として表示部４４が設けられている。なお、整理処理を行う必要がある旨の情報を報知する報知部は表示部４４に限定されることはない。報知部として、整理処理を行う必要がある旨の情報を操作者に報知することができるものであれば、音声により操作者に報知するスピーカー等の、表示部４４以外の構成のものが用いられてもよい。
【００６６】
また、本実施の形態の貨幣処理機１０においては、上述したように、搬送部２５から送られた紙幣を一時的に保留するとともに保留されている紙幣を搬送部２５に１枚ずつ繰出可能な一時保留部５０が設けられており、整理処理が行われる際に、各収納繰出部２７から繰り出された紙幣の少なくとも一部が一時保留部５０に一時的に保留された後に各収納繰出部２７に戻されるようになっている。このことにより、ある収納繰出部２７に複数の金種の紙幣が混合状態で収納されている場合でも、当該収納繰出部２７から繰り出された紙幣の一部を一時保留部５０に一時的に保留させることによって、紙幣の整理処理をスムーズに行うことができるようになる。
【００６７】
また、本実施の形態の貨幣処理機１０においては、上述したように、制御部１５は、各収納繰出部２７から回収部としての紙幣回収カセット４１に紙幣を送ることにより当該紙幣の管理権限を変えるような引渡処理が行われる際に整理処理を行うようになっており、この際に、各収納繰出部２７から繰り出された紙幣のうち紙幣回収カセット４１に送られるべき金種の紙幣以外の紙幣が一時保留部５０に一時的に保留されるようになっている。このことにより、ある収納繰出部２７に複数の金種の紙幣が混合状態で収納されている場合でも、当該収納繰出部２７から繰り出された紙幣のうち紙幣回収カセット４１に送られるべき金種の紙幣以外の紙幣を一時保留部５０に一時的に保留させることによって、紙幣の引渡処理および整理処理をスムーズに行うことができるようになる。
【００６８】
なお、本実施の形態による紙幣処理装置２０やこのような紙幣処理装置２０を備えた貨幣処理機１０は、上記の態様に限定されることはなく、様々な変更を加えることができる。
【００６９】
例えば、紙幣処理装置２０に硬貨処理装置３０が併設されておらず、当該紙幣処理装置２０が単体で用いられるようになっていてもよい。この場合には、貨幣処理機１０は紙幣のみの処理を行う紙幣処理機として用いられるようになる。
【００７０】
また、紙幣処理装置２０に硬貨処理装置３０が併設されておらず、紙幣処理装置２０が単体で用いられる場合には、上述した制御部１５、金種設定部４２、表示部４４、操作部４５、記憶部４７等と同様の機能を有する制御部、金種設定部、表示部、操作部、記憶部等が紙幣処理装置２０に設けられるようになっていてもよい。このことにより、紙幣処理装置２０が単体で用いられる場合でも、各収納繰出部２７と金種とを関連付けた情報が紙幣処理装置２０に設けられた記憶部に記憶されるとともに、当該紙幣処理装置２０に設けられた制御部は、各収納繰出部２７に、記憶部に記憶されている情報における当該収納繰出部２７に関連付けられている金種の金額以下の金種の紙幣を送るよう、搬送部２５を制御するようになる。
【００７１】
また、紙幣処理装置２０の各収納繰出部２７は、テープにより紙幣をドラム２７ｐに巻き取ることにより紙幣を収納するとともにドラム２７ｐに巻き取られたテープを当該ドラム２７ｐから巻き出すことにより紙幣を１枚ずつ繰り出すテープリール式のものに限定されることはない。搬送部２５から送られた紙幣を収納するとともに収納されている紙幣を搬送部２５に１枚ずつ繰出可能な収納繰出部として、紙幣が積層状態で集積されるとともに集積されている複数の紙幣のうち端（具体的には、最上層または最下層）に位置する紙幣を１枚ずつ繰り出すスタッカ式のものが用いられてもよい。
【００７２】
また、各収納繰出部２７に収納されている紙幣を外部に投出するような出金処理が行われる際に、各収納繰出部２７から繰り出された紙幣のうち出金されるべき金種の紙幣以外の紙幣が一時保留部５０に送られる代わりに紙幣リジェクト口２２に送られるようになっていてもよい。そして、紙幣の出金処理が完了した後、操作者は紙幣リジェクト口２２から紙幣を取り出して紙幣投入口２１に再投入することによって紙幣投入口２１から筐体１１の内部に繰り出された紙幣が各収納繰出部２７に戻されるようになっていてもよい。また、各収納繰出部２７から紙幣回収カセット４１に紙幣を送ることにより当該紙幣の管理権限を変えるような引渡処理が行われる際に、各収納繰出部２７から繰り出された紙幣のうち紙幣回収カセット４１に送られるべき金種の紙幣以外の紙幣が一時保留部５０に送られる代わりに紙幣リジェクト口２２に送られるようになっていてもよい。そして、紙幣の引渡処理が完了した後、操作者は紙幣リジェクト口２２から紙幣を取り出して紙幣投入口２１に再投入することによって紙幣投入口２１から筐体１１の内部に繰り出された紙幣が各収納繰出部２７に戻されるようになっていてもよい。
【００７３】
また、本発明に係る貨幣処理機として、一時保留部５０が設けられていないような紙幣処理装置が設けられるようになっていてもよい。このような一時保留部５０が設けられていない紙幣処理装置の構成について図５を用いて説明する。
【００７４】
図５に示すような変形例に係る紙幣処理装置２０ｐでは、図２に示す紙幣処理装置２０と比較して一時保留部５０が設けられていない点が異なるのみであり、他の構成は概ね図２に示す紙幣処理装置２０と略同一となっている。図５に示すような変形例に係る紙幣処理装置２０ｐを説明するにあたり、図２に示す紙幣処理装置２０と同一の構成部材については同一の参照符合を付してその説明を省略する。
【００７５】
図５に示すような紙幣処理装置２０ｐを備えた貨幣処理機でも、図１乃至図４に示す貨幣処理機１０と同様に、各収納繰出部２７と金種とを関連付けた情報が記憶部４７に記憶されるとともに、各収納繰出部２７に、記憶部４７に記憶されている情報における当該収納繰出部２７に関連付けられている金種の金額以下の金種の紙幣を送るよう、制御部１５によって搬送部２５が制御されるようになっている。このように、各収納繰出部２７にそれぞれ金種を関連付けるとともに、各収納繰出部２７に、当該収納繰出部２７に関連付けられている金種の金額以下の金種の紙幣を送ることができるようにすることによって、金額が小さい金種の紙幣（具体的には、千円札や五千円札）の収納量を増やすことができ、よって紙幣の出金処理が行われる際に当該金種の紙幣が足りなくなってしまうことを防止することができるとともに金額が大きい金種に対応する収納繰出部２７の収納スペースを有効活用することができる。
【００７６】
しかしながら、図５に示すような紙幣処理装置２０ｐを備えた貨幣処理機では、各収納繰出部２７から繰り出された紙幣を一時的に保留するための一時保留部が設けられていないため、ある収納繰出部２７に複数の金種の紙幣が混合状態で収納されている場合に紙幣の出金処理や引渡処理が行われると様々な制約が生じることとなる。すなわち、紙幣の出金処理が行われる際に、ある収納繰出部２７に複数の金種の紙幣が混合状態で収納されている場合には、当該収納繰出部２７から繰り出された紙幣のうち出金されるべき紙幣以外の紙幣は紙幣リジェクト口２２に送らなければならない。そして、紙幣の出金処理が行われた後に、操作者が紙幣リジェクト口２２から筐体１１の外部に紙幣を取り出して紙幣投入口２１に再投入することによって紙幣投入口２１から筐体１１の内部に繰り出された紙幣が各収納繰出部２７に戻されるようになる。
【００７７】
また、図５に示すような紙幣処理装置２０ｐを備えた貨幣処理機において紙幣の引渡処理が行われる際に、ある収納繰出部２７に複数の金種の紙幣が混合状態で収納されている場合には、当該収納繰出部２７から繰り出された紙幣のうち貨幣収納部４０に送られるべき紙幣以外の紙幣は紙幣リジェクト口２２に送らなければならない。そして、紙幣の引渡処理が行われた後に、操作者が紙幣リジェクト口２２から筐体１１の外部に紙幣を取り出して紙幣投入口２１に再投入することによって紙幣投入口２１から筐体１１の内部に繰り出された紙幣が各収納繰出部２７に戻されるようになる。
【００７８】
このように、図５に示すような紙幣処理装置２０ｐを備えた貨幣処理機では、ある収納繰出部２７に複数の金種の紙幣が混合状態で収納されている場合に紙幣の出金処理や引渡処理が行われると様々な制約が生じるものの、各収納繰出部２７に、当該収納繰出部２７に関連付けられている金種の金額以下の金種の紙幣を送ることができるようにすることによって、図１乃至図４に示す貨幣処理機１０と概ね同一の作用効果を奏することができるようになる。
【符号の説明】
【００７９】
１０    貨幣処理機
１１    筐体
１５    制御部
２０、２０ｐ  紙幣処理装置
２０ａ  引出ユニット
２１    紙幣投入口
２２    紙幣リジェクト口
２３    紙幣返却口
２４    扉
２５    搬送部
２６    識別部
２７    収納繰出部
２７ａ  第１収納繰出部
２７ｂ  第２収納繰出部
２７ｃ  第３収納繰出部
２７ｐ  ドラム
２８    紙幣ステージ
２９    紙幣保留部
２９ａ  一時保留板
２９ｂ  押さえ部材
３０    硬貨処理装置
３２    硬貨処理部
４０    貨幣収納部
４１    紙幣回収カセット
４１ａ  ステージ
４２    金種設定部
４３    プリンタ
４４    表示部
４５    操作部
４６    カードリーダ
４７    記憶部
４８    通信インターフェース部
５０    一時保留部
５０ｐ  ドラム
【図１】
2018077624.tif 000003
【図２】
2018077624.tif 000004
【図３】
2018077624.tif 000005
【図４】
2018077624.tif 000006
【図５】
2018077624.tif 000007